(57)【特許請求の範囲】
【請求項１】
コネクタハウジングのコンタクト収容部に収容され、被覆電線の圧入を受け容れて、この被覆電線と電気接続する圧接型コンタクトであって、
各先端側が揺動可能であるように各基端側で結合されて弾性的に片持ち支持され、互いに対向する各内側辺によって上記被覆電線の芯線を圧接挟持するための一対の電線挟持部と、
上記被覆電線を受け容れる電線挿入口を形成する電線受容れ内側辺を各先端側に有し、上記一対の電線挟持部の内側辺へと連続し、上記電線挿入口に受け容れられた上記被覆電線を上記一対の電線挟持部間へと案内する案内内側辺を各基端側に有し、上記被覆電線の圧入に伴って当該被覆電線の絶縁被覆を切断して芯線を露出させる被覆切断部を上記電線受容れ内側辺と上記案内内側辺との間に有する一対の電線導入部であって、上記一対の電線挟持部に被覆電線が挟持されている状態において上記コンタクト収容部の内壁面に当接してこの内壁面からの反作用力を受ける当接面を各先端側の外側辺に有し、上記被覆電線の圧入に伴って上記一対の電線挟持部が弾性的に拡開変形して各先端が外方へと揺動する際に当該電線導入部の基端側の外方への揺動を許容するためのクリアランスを上記コンタクト収容部の内壁面との間に確保するクリアランス形成面を上記基端側の外側辺に有する一対の電線導入部と、
上記一対の電線挟持部の各先端側と、上記一対の電線導入部の各基端側とを、上記電線導入部が上記電線挟持部に対して初期状態よりも内側に屈曲または湾曲した屈曲・湾曲状態への弾性変形が可能な状態で結合するとともに、上記一対の電線挟持部に被覆電線が挟持された状態では、上記一対の電線導入部の当接面が上記コンタクト収容部の内壁面から受ける反作用力により、上記屈曲・湾曲状態に保持される一対の関節部とを含み、
上記一対の案内内側辺は内側に向かって凸湾曲しており、相対向する上記一対の電線導入部の上記案内内側辺間の距離は、上記一対の電線挟持部に向かうにつれて小さくなっており、
上記一対の関節部の外側辺には、当該一対の関節部を上記屈曲・湾曲状態へと弾性変形しやすくするための切欠きが形成されており、
上記一対のクリアランス形成面は、先端側に向かうにつれて上記コンタクト収容部の内壁面に近づくように傾斜し上記一対の当接面と隣接しており、上記一対の被覆切断部が互いに向かい合う方向に沿って、当該一対の被覆切断部と並んでいることを特徴とする圧接型コンタクト。
【請求項２】
請求項１記載の圧接型コンタクトと、
上記コンタクト収容部を有し、このコンタクト収容部に収容された上記圧接型コンタクトに圧入される被覆電線を挿通させるための電線通路が形成されたコネクタハウジングとを含むことを特徴とするコネクタ。
【請求項３】
上記コネクタハウジングは、
上記コンタクト収容部を有する本体と、
この本体に対して着脱可能であり、上記本体に取り付けられることにより上記電線通路を形成した状態で上記コンタクト収容部を閉塞するキャップとを含むことを特徴とする請求項２記載のコネクタ。
【請求項４】
上記コンタクト収容部の内壁面には、当該コンタクト収容部に収容された圧接型コンタクトの上記一対の電線挟持部が上記電線通路に沿ってずれるのを規制するための規制部が形成されていることを特徴とする請求項２または３記載のコネクタ。
【請求項５】
請求項２ないし４のいずれかに記載のコネクタと、
上記電線通路に挿通され、上記コネクタハウジングに収容された圧接型コンタクトの上記一対の電線挟持部の内側辺間に芯線が圧接挟持された被覆電線とを含むことを特徴とする電線付きコネクタ。
【請求項６】
請求項２ないし４のいずれかに記載のコネクタに被覆電線を圧接させて電線付きコネクタを製造する方法であって、
上記コネクタハウジングを上記コンタクト収容部の上記内壁面の変位を規制するダイに配置する工程と、
圧接パンチにより、上記コンタクト収容部に収容された上記圧接型コンタクトの上記電線挿入口から上記一対の電線挟持部の内側辺間へと被覆電線を圧入することにより、上記被覆切断部によって被覆電線の絶縁被覆を切断させるとともに、上記一対の電線挟持部間に被覆電線の芯線を挟持させる工程と、
上記被覆電線の圧入によって上記一対の電線挟持部を弾性的に拡開変形させるとともに、上記ダイによって変位が規制された上記内壁面からの反作用力を上記当接面に作用させることにより、上記電線導入部の先端側の変位を規制して、上記一対の関節部を上記屈曲・湾曲状態へと弾性変形させる工程とを含むことを特徴とする電線付きコネクタの製造方法。
【発明の詳細な説明】
【技術分野】
【０００１】
この発明は、被覆電線の圧入を受け容れて、この被覆電線と電気接続する圧接型コンタクト、これを用いたコネクタおよび電線付きコネクタ、ならびに電線付きコネクタの製造方法に関する。
【背景技術】
【０００２】
圧接型コンタクトは、たとえば特許文献１に開示されているように、被覆電線の芯線を圧接挟持するための一対の電線挟持部（一対の側板）を備えている。被覆電線が一対の電線挟持部へと圧入される過程で、被覆電線の絶縁被覆が切断されて芯線が露出し、その露出した芯線が一対の電線挟持部で圧接挟持されることにより、圧接型コンタクトと被覆電線との電気接続が達成される。
【０００３】
通常、圧接型コンタクトは、樹脂製のコネクタハウジングに収容される。このような圧接型コンタクトを用いたコネクタ（いわゆる圧接型コネクタ）は、配線基板等に接続された相手側コネクタに結合され、これにより、被覆電線と配線基板等とが電気接続される。
図１１は、従来の圧接型コネクタ８０の一部の拡大断面図である。
図１１を参照して、圧接型コネクタ８０は、コネクタハウジング８１と、このコネクタハウジング８１に形成されたコンタクト収容部８２内に収容された圧接型コンタクト８３とを含む。
【０００４】
圧接型コンタクト８３は、各先端側が揺動可能であるように各基端側で結合されて弾性的に片持ち支持された一対の電線挟持部８４と、被覆電線５を一対の電線挟持部８４間へと案内するための一対の電線導入部８５とを備えている。一対の電線導入部８５の各内側辺（対向する電線導入部８５側の辺）には、被覆電線５の圧入に伴って当該被覆電線５の絶縁被覆５Ｂを切断して芯線５Ａを露出させるための被覆切断部８５Ａが形成されている。一対の電線挟持部８４は、それぞれ基端側から先端側へとほぼ均一な幅で形成されており、互いに被覆電線５の芯線５Ａの外径よりも小さい間隔を空けて対向している。
【０００５】
圧接型コンタクト８３がコンタクト収容部８２に収容され、被覆電線５が圧入されていない状態では、圧接型コンタクト８３が図１１において実線で示すような状態となり、コンタクト収容部８２を区画するコネクタハウジング８１の側面壁８１Ａが図１１において破線で示すように圧接型コンタクト８３の外側辺に当接している。
この状態から一対の電線挟持部８４間に被覆電線５の芯線５Ａが圧入されると、それに伴って、図１１において破線で示すように一対の電線挟持部８４が弾性的に拡開変形して各先端が外方へと揺動する（図１１では、圧接型コンタクト８３の右側部分の変形態様のみを示しているが、左側部分も同様に外方へと揺動することとなる。）。一対の電線挟持部８４に被覆電線５が挟持された状態では、電線挟持部８４および電線導入部８５の外側辺によってコンタクト収容部８２の内壁面８１Ｂが押圧され、コネクタハウジング８１の側面壁８１Ａが、図１１において実線で示すように外方に向かって弾性的に拡開変形することとなる。
【特許文献１】特開２００１−１４３７７３号公報
【発明の開示】
【発明が解決しようとする課題】
【０００６】
上記従来技術のように、圧接型コンタクト８３への被覆電線５の圧入に伴ってコネクタハウジング８１の側面壁８１Ａが弾性変形した場合、側面壁８１Ａが破損するおそれがある。
特に、圧接型コンタクト８３を幅方向（図１１における左右方向）に複数個並べて配置して、複数本の被覆電線５を複数の圧接型コンタクト８３に一括して圧接できるような構成とした場合には、複数のコンタクト収容部８２間を区画する複数の区画壁の拡開が同時に起きることとなり、コネクタハウジング８１に著しい反り変形が生じ、コネクタハウジング８１が破損する可能性が高い。
【０００７】
この発明は、かかる背景のもとでなされたもので、被覆電線の圧入に伴うコネクタハウジングの変形を抑制できる圧接型コンタクト、これを用いたコネクタおよび電線付きコネクタ、ならびに電線付きコネクタの製造方法を提供することを目的とする。
また、この発明の別の目的は、圧入された被覆電線をより良好に保持できる圧接型コンタクト、これを用いたコネクタおよび電線付きコネクタ、ならびに電線付きコネクタの製造方法を提供することである。
【課題を解決するための手段】
【０００８】
上記目的を達成するための請求項１記載の発明は、コネクタハウジングのコンタクト収容部に収容され、被覆電線の圧入を受け容れて、この被覆電線と電気接続する圧接型コンタクトであって、各先端側が揺動可能であるように各基端側で結合されて弾性的に片持ち支持され、互いに対向する各内側辺によって上記被覆電線の芯線を圧接挟持するための一対の電線挟持部と、上記被覆電線を受け容れる電線挿入口を形成する電線受容れ内側辺を各先端側に有し、上記一対の電線挟持部の内側辺へと連続し、上記電線挿入口に受け容れられた上記被覆電線を上記一対の電線挟持部間へと案内する案内内側辺を各基端側に有し、上記被覆電線の圧入に伴って当該被覆電線の絶縁被覆を切断して芯線を露出させる被覆切断部を上記電線受容れ内側辺と上記案内内側辺との間に有する一対の電線導入部であって、上記一対の電線挟持部に被覆電線が挟持されている状態において上記コンタクト収容部の内壁面に当接してこの内壁面からの反作用力を受ける当接面を各先端側の外側辺に有し、上記被覆電線の圧入に伴って上記一対の電線挟持部が弾性的に拡開変形して各先端が外方へと揺動する際に当該電線導入部の基端側の外方への揺動を許容するためのクリアランスを上記コンタクト収容部の内壁面との間に確保するクリアランス形成面を上記基端側の外側辺に有する一対の電線導入部と、上記一対の電線挟持部の各先端側と、上記一対の電線導入部の各基端側とを、上記電線導入部が上記電線挟持部に対して初期状態よりも内側に屈曲または湾曲した屈曲・湾曲状態への弾性変形が可能な状態で結合するとともに、上記一対の電線挟持部に被覆電線が挟持された状態では、上記一対の電線導入部の当接面が上記コンタクト収容部の内壁面から受ける反作用力により、上記屈曲・湾曲状態に保持される一対の関節部とを含み、上記一対の案内内側辺は内側に向かって凸湾曲しており、相対向する上記一対の電線導入部の上記案内内側辺間の距離は、上記一対の電線挟持部に向かうにつれて小さくなっており、上記一対の関節部の外側辺には、当該一対の関節部を上記屈曲・湾曲状態へと弾性変形しやすくするための切欠きが形成されており、上記一対のクリアランス形成面は、先端側に向かうにつれて上記コンタクト収容部の内壁面に近づくように傾斜し上記一対の当接面と隣接しており、上記一対の被覆切断部が互いに向かい合う方向に沿って、当該一対の被覆切断部と並んでいることを特徴とする圧接型コンタクトである。
【０００９】
この構成によれば、一対の電線挟持部に被覆電線が挟持された状態では、一対の電線導入部の当接面がコンタクト収容部の内壁面から受ける反作用力により一対の関節部が屈曲・湾曲状態に保持され、一対の電線導入部が一対の電線挟持部に対して初期状態よりも内側に屈曲または湾曲した状態となる。したがって、一対の電線導入部の当接面に当接するコンタクト収容部の内壁面は、外方への押圧に耐えることができるので、その拡開変形が抑制され、その結果、被覆電線の圧入に伴うコネクタハウジングの変形を抑制できる。
【００１０】
また、一対の電線導入部の基端側の外側辺に形成されたクリアランス形成面とコンタクト収容部の内壁面との間にクリアランスが確保されているので、被覆電線の圧入に伴って一対の電線導入部がコンタクト収容部の内壁面から受ける反作用力によって内側に屈曲または湾曲する際に、電線導入部の基端側（当接面よりも電線挟持部側）の外側辺がコンタクト収容部の内壁面を押圧するのを防止できる。したがって、被覆電線の圧入に伴うコネクタハウジングの変形をより効果的に抑制できる。
また、一対の関節部が、その外側辺に形成された切欠きによって屈曲・湾曲状態へと弾性変形しやすくなっているので、一対の電線導入部がコンタクト収容部の内壁面から受ける反作用力によって内側に屈曲または湾曲しやすい。したがって、被覆電線の圧入に伴うコネクタハウジングの変形をさらに効果的に抑制できる。
【００１１】
上記圧接型コンタクトは、上記一対の電線挟持部、上記一対の電線導入部および上記一対の関節部をそれぞれ備え、上記一対の電線挟持部の対向方向と交差する方向に沿って互いに対向するように配置された２つの圧接片と、上記２つの圧接片の対向方向に沿って対向する電線導入部の先端同士を連結する連結部とを含むような構成であってもよい。
【００１２】
請求項２記載の発明は、請求項１記載の圧接型コンタクトと、上記コンタクト収容部を有し、このコンタクト収容部に収容された上記圧接型コンタクトに圧入される被覆電線を挿通させるための電線通路が形成されたコネクタハウジングとを含むことを特徴とするコネクタである。
【００１３】
この構成によれば、請求項１記載の発明と同様の効果を奏するコネクタを提供できる。
請求項３記載の発明は、上記コネクタハウジングは、上記コンタクト収容部を有する本体と、この本体に対して着脱可能であり、上記本体に取り付けられることにより上記電線通路を形成した状態で上記コンタクト収容部を閉塞するキャップとを含むことを特徴とする請求項２記載のコネクタである。
【００１４】
この構成によれば、キャップによってコンタクト収容部が閉塞されるので、コンタクト収容部に外部から異物が進入するのを防止できるとともに、一対の電線挟持部に挟持された被覆電線が圧入方向と反対方向に向かって外れ、コンタクト収容部（電線通路）から抜け落ちるのを防止できる。したがって、圧入された被覆電線をより良好に保持できるコネクタを提供できる。
【００１５】
また、被覆電線の圧入に伴うコネクタハウジングの変形が抑制されることにより、キャップをコネクタハウジングに良好に装着でき、かつ、その装着状態を確実に保持できる。
請求項４記載の発明は、上記コンタクト収容部の内壁面には、当該コンタクト収容部に収容された圧接型コンタクトの上記一対の電線挟持部が上記電線通路に沿ってずれるのを規制するための規制部が形成されていることを特徴とする請求項２または３記載のコネクタである。
【００１６】
この構成によれば、一対の電線挟持部に挟持された被覆電線に対して電線通路に沿った外力が作用した場合に、一対の電線挟持部が被覆電線につられて電線通路に沿ってずれるのを防止できる。したがって、一対の電線挟持部が互いに対向する方向に対して交差する方向にずれて変形することにより、一対の電線挟持部による被覆電線の挟持力が低下するのを防止できるので、圧入された被覆電線をより良好に保持できる。
【００１７】
請求項５記載の発明は、請求項２ないし４のいずれかに記載のコネクタと、上記電線通路に挿通され、上記コネクタハウジングに収容された圧接型コンタクトの上記一対の電線挟持部の内側辺間に芯線が圧接挟持された被覆電線とを含むことを特徴とする電線付きコネクタである。
この構成によれば、請求項１ないし４のいずれかに記載の発明と同様の効果を奏する電線付きコネクタを提供できる。
【００１８】
請求項６記載の発明は、請求項２ないし４のいずれかに記載のコネクタに被覆電線を圧接させて電線付きコネクタを製造する方法であって、上記コネクタハウジングを上記コンタクト収容部の上記内壁面の変位を規制するダイに配置する工程と、圧接パンチにより、上記コンタクト収容部に収容された上記圧接型コンタクトの上記電線挿入口から上記一対の電線挟持部の内側辺間へと被覆電線を圧入することにより、上記被覆切断部によって被覆電線の絶縁被覆を切断させるとともに、上記一対の電線挟持部間に被覆電線の芯線を挟持させる工程と、上記被覆電線の圧入によって上記一対の電線挟持部を弾性的に拡開変形させるとともに、上記ダイによって変位が規制された上記内壁面からの反作用力を上記当接面に作用させることにより、上記電線導入部の先端側の変位を規制して、上記一対の関節部を上記屈曲・湾曲状態へと弾性変形させる工程とを含むことを特徴とする電線付きコネクタの製造方法である。
【００１９】
この構成によれば、被覆電線の圧入によって一対の電線挟持部が弾性的に拡開変形されるとともに、ダイによって変位が規制されたコンタクト収容部の内壁面からの反作用力が当接面に作用することにより、電線導入部の先端側の変位が規制されて一対の関節部が屈曲・湾曲状態へと弾性変形され、一対の電線導入部が一対の電線挟持部に対して初期状態よりも内側に屈曲または湾曲した状態となる。すなわち、圧接型コンタクトに被覆電線を圧接させて取り付ける段階で、一対の電線導入部はコンタクト収容部の内壁面に大きな押圧力を作用させるが、コンタクト収容部の内壁面の変形はダイによって規制されているため、被覆電線の圧入時にコネクタハウジングが大きく変形してしまうことはない。コネクタハウジングをダイから取り外したときは、コンタクト収容部の内壁面は、電線導入部から受ける比較的弱い拡開力に耐えればよいので、コネクタハウジングがその後に大きく変形することもない。
【発明を実施するための最良の形態】
【００２０】
以下には、図面を参照して、この発明の実施形態について具体的に説明する。
図１は、この発明の一実施形態に係る圧接型コネクタ１の斜視図である。また、図２は、圧接型コネクタ１の分解斜視図である。なお、図１における矢印Ｄ１方向を前方とする。
図１および図２を参照して、この圧接型コネクタ１は、合成樹脂成型品からなるコネクタハウジング２と、コネクタハウジング２に形成された２つのコンタクト収容部３内に収容された金属製の２つの圧接型コンタクト（端子金具）４とを含む。コネクタハウジング２は、上下方向に長手の略直方体形状を有し、その上面から下方に向かって延びるように２つのコンタクト収容部３が幅方向（左右方向）に並べて形成された本体２Ａと、この本体２Ａの上面に対して着脱可能であって、本体２Ａの上面に取り付けられることによりコンタクト収容部３を閉塞することができるキャップ２Ｂとを含む。
【００２１】
キャップ２Ｂを本体２Ａから取り外した状態で、２つのコンタクト収容部３の上方にそれぞれ被覆電線５を前後方向に延びるように配置し、各被覆電線５の端部を対応するコンタクト収容部３に収容された圧接型コンタクト４に圧入することにより、２本の被覆電線５の芯線５Ａが圧接型コンタクト４によって導電可能に圧接挟持される。すなわち、この圧接型コネクタ１は、２本の被覆電線５が導電可能に接続される２極の圧接型コネクタであり、２本の被覆電線５をそれぞれ異なる機器に接続することにより、複数の機器への電力供給を達成できる。
【００２２】
この圧接型コネクタ１は、たとえば、配線基板上に実装された相手側コネクタ（図示せず）に結合可能である。圧接型コネクタ１の下方に配置された相手側コネクタに圧接型コネクタ１が上方から嵌め込まれることにより、圧接型コンタクト４と相手側コネクタのコンタクトとが接触し、圧接型コネクタ１に圧接挟持された被覆電線５が配線基板に電気接続されることとなる。
【００２３】
図３は、圧接型コンタクト４の斜視図である。また、図４は、圧接型コンタクト４の６面図であって、図４（ａ）は正面図、図４（ｂ）は平面図、図４（ｃ）は底面図、図４（ｄ）は左側面図、図４（ｅ）は右側面図、図４（ｆ）は背面図をそれぞれ示している。なお、図３における矢印Ｄ２方向を前方とする。
図３および図４を参照して、圧接型コンタクト４は、金属板（たとえば、めっきした銅板）に打ち抜き加工及び折り曲げ加工を施して形成された一体品である。この圧接型コンタクト４は、被覆電線５が圧接される圧接部１０と、この圧接部１０の下端から下方に向かって延び、下方から結合される相手側コネクタのコンタクトに接触するための接点部１１とを含む。
【００２４】
圧接部１０は、前後方向に並べて互いに平行に配置され、それぞれ被覆電線５を圧接挟持するための２枚の圧接片１２を含む。各圧接片１２は、各上端側（先端側）が左右方向に揺動可能であるように各下端側（基端側）で結合されて弾性的に片持ち支持された一対の電線挟持部１３と、上方から圧入される被覆電線５を受け容れて一対の電線挟持部１３間に案内するための一対の電線導入部１４と、一対の電線挟持部１３の各上端側と一対の電線導入部１４の各下端側とを弾性変形可能に結合する一対の関節部１５とを含む。２枚の圧接片１２の各電線導入部１４は、前後方向に対向する電線導入部１４の先端部同士が連結部１６によって互いに連結されている。
【００２５】
一対の電線導入部１４の各内側辺（左右方向に対向する電線導入部１４側の辺）の上端部は、ほぼ上下方向に延びる電線受容れ内側辺１４Ａを形成している。左右方向に対向する一対の電線導入部１４の電線受容れ内側辺１４Ａ間には、被覆電線５の外径よりも大きい間隔が空けられていて、上方から圧入される被覆電線５を受け容れる電線挿入口１７が形成されている。
【００２６】
また、一対の電線導入部１４の各内側辺には、電線受容れ内側辺１４Ａの下端から下方に向かうにつれて内側（左右方向に対向する電線導入部１４側）に延びる被覆切断部１４Ｂが形成されている。左右方向に対向する一対の電線導入部１４の被覆切断部１４Ｂの下端部間には、被覆電線５の外径よりも小さい間隔が空けられている。したがって、電線挿入口１７に受け容れられた被覆電線５は、下方に圧入されるのに伴って外周面が被覆切断部１４Ｂに摺接し、これにより、被覆電線５の絶縁被覆５Ｂが切断されて芯線５Ａが露出することとなる。被覆切断部１４Ｂは、被覆電線５の絶縁被覆５Ｂをより良好に切断できるように鋭利に形成されていてもよい。
【００２７】
さらに、一対の電線導入部１４の各内側辺には、被覆切断部１４Ｂの下端から下方に向かい、電線挟持部１３の内側辺へと連続する案内内側辺１４Ｃが形成されている。案内内側辺１４Ｃは内側に向かって緩やかに凸湾曲しており、左右方向に対向する一対の電線導入部１４の案内内側辺１４Ｃ間の距離は、下方に向かうにつれて徐々に小さくなっている。被覆切断部１４Ｂで絶縁被覆５Ｂが切断されることにより露出した被覆電線５の芯線５Ａは、一対の電線導入部１４の案内内側辺１４Ｃ間を通って、一対の電線挟持部１３の内側辺間に案内されることとなる。
【００２８】
各電線挟持部１３は、上方（先端）に向かうにつれて幅が狭くなるような先細り形状に形成されている。一対の電線挟持部１３の内側辺間には、被覆電線５の芯線５Ａの外径よりも小さい間隔が空けられることにより、被覆電線５の芯線５Ａを圧接挟持するためのスロット１８が形成されている。したがって、被覆電線５の芯線５Ａがスロット１８に圧入されることにより、一対の電線挟持部１３が弾性的に拡開変形して各先端が外方へと揺動することとなる。これにより、一対の電線挟持部１３が初期状態に戻ろうとする弾性力によって被覆電線５の芯線５Ａが圧接挟持され、被覆電線５の芯線５Ａと圧接型コンタクト４とが導電可能に接続される（図４（ａ）参照）。
【００２９】
一対の電線挟持部１３の内側辺の結合部には、略円弧状の切欠き１９が形成されている。これにより、一対の電線挟持部１３を拡開変形しやすくすることができるとともに、一対の電線挟持部１３の拡開変形に伴う結合部への応力集中を抑制して、圧接型コンタクト４の疲労による破損を防止することができるようになっている。
一対の関節部１５は、一対の電線挟持部１３の各上端側と、一対の電線導入部１４の各下端側とを、電線導入部１４が電線挟持部１３に対して初期状態よりも内側（左右方向に対向する電線導入部１４側）に弾性変形（たとえば、屈曲または湾曲）できるように結合するものである。一対の関節部１５の各外側辺には、略円弧状の切欠き１５Ａが形成されていて、これにより、一対の関節部１５が初期状態よりも内側に弾性変形しやすくなっている。ただし、一対の関節部１５の各外側辺に、略円弧状の切欠き１５Ａではなく、たとえば楔形の切欠きを形成しても、一対の関節部１５を初期状態よりも内側に弾性変形しやすくすることができる。
【００３０】
各圧接片１２の左右外側辺の下端部には、当該圧接型コンタクト４がコネクタハウジング２のコンタクト収容部３に圧入されたときに、コンタクト収容部３の内壁面に食い込んで圧接型コンタクト４をコンタクト収容部３に保持するための圧入突起１２Ａが突出して形成されている。
接点部１１は、下方に向かって延び、互いに対向するように左右方向に並べて配置された２枚のコンタクト挟持片２０を含む。２枚のコンタクト挟持片２０は、それらの上端部が互いに平行に上下方向に延びており、途中部から下方に向かうにつれて互いに近接するように傾斜している。２枚のコンタクト挟持片２０の最近接部は、相手側コネクタのコンタクトを弾性的に挟持するための接点２１を構成している。２枚のコンタクト挟持片２０の接点２１よりも下方側は、下方に向かうにつれて互いに離間するように傾斜し、下方から挿入される相手側コネクタのコンタクトを接点２１間に案内するための案内傾斜部２２となっている。
【００３１】
図５は、圧接型コネクタ１の６面図であって、図５（ａ）は正面図、図５（ｂ）は平面図、図５（ｃ）は底面図、図５（ｄ）は左側面図、図５（ｅ）は右側面図、図５（ｆ）は背面図をそれぞれ示している。また、図６は、キャップ２Ｂを取り外した状態における圧接型コネクタ１の６面図であって、図６（ａ）は正面図、図６（ｂ）は平面図、図６（ｃ）は底面図、図６（ｄ）は左側面図、図６（ｅ）は右側面図、図６（ｆ）は背面図をそれぞれ示している。さらに、図７は、キャップ２Ｂの６面図であって、図７（ａ）は正面図、図７（ｂ）は平面図、図７（ｃ）は底面図、図７（ｄ）は左側面図、図７（ｅ）は右側面図、図７（ｆ）は背面図をそれぞれ示している。
【００３２】
図１，２，５，６，７を参照して、コネクタハウジング２の本体２Ａの上面は開口されていて、その開口内に平面視で略矩形状のキャップ２Ｂが上方から嵌め込まれることによりコンタクト収容部３が閉塞される。左右方向に並ぶ２つのコンタクト収容部３は、本体２Ａ内の左右方向中央部を前後方向に延びる区画壁３０によって区画されている。
キャップ２Ｂの左右側面の前端部には、上下方向に延びる凹条３１が形成されており、本体２Ａの左右内壁面の前端部には、上端から下方に向かって延びる凸条３２が形成されている。本体２Ａの凸条３２がキャップ２Ｂの凹条３１内をスライドするようにしてキャップ２Ｂを上方から本体２Ａに嵌め込むことにより、キャップ２Ｂを本体２Ａの規定位置に確実に取り付けることができる。
【００３３】
キャップ２Ｂの左右側面の前方側下部には、それぞれ突起３３が形成されており、本体２Ａの前面の上部左右両端には、前方に突出する係合片３４が形成されている。キャップ２Ｂを本体２Ａに嵌め込む過程で、キャップ２Ｂの各突起３３によって対応する係合片３４の内面が外側に押圧され、係合片３４が外側に弾性変形する。キャップ２Ｂが本体２Ａに対して所定量以上挿入されて突起３３が係合片３４よりも下方までくると、係合片３４が初期状態に戻り、キャップ２Ｂの各突起３３が対応する係合片３４の下端辺に引っかかって、キャップ２Ｂが本体２Ａに固定される。
【００３４】
また、キャップ２Ｂの前面中央部には略矩形の開口３５が形成されており、本体２Ａの区画壁３０の前面には突起３６が形成されている。キャップ２Ｂが本体２Ａに取り付けられると、本体２Ａの突起３６がキャップ２Ｂの開口３５内に係止されることによって、キャップ２Ｂが本体２Ａに対してより強固に固定されるようになっている。
キャップ２Ｂの後面の下端中央部には、上方に延びる切欠き３７が形成されている。キャップ２Ｂが本体２Ａに固定された状態では、本体２Ａの後面に形成された突起（図示せず）がキャップ２Ｂの切欠き３７内に入り込み、切欠き３７の上端縁に当接した状態となる。これにより、キャップ２Ｂが本体２Ａに固定された状態で、キャップ２Ｂがそれ以上本体２Ａ内に入り込まないように規制することができる。
【００３５】
コネクタハウジング２の本体２Ａの前面には、上端辺から下方に向かって延びる２つの切欠き３８が、互いに平行になるように左右方向に並べて形成されている。これらの切欠き３８は、コンタクト収容部３を前方に向かって開放するものであって、その下端縁が被覆電線５の外周面とほぼ同じ曲率で略半円弧状に形成されている（図６（ａ）参照）。キャップ２Ｂの前面の下端辺には、被覆電線５の外周面とほぼ同じ曲率の略半円弧状の切欠き３９が、左右方向に並べて形成されている（図７（ａ）参照）。
【００３６】
このような構成により、キャップ２Ｂを本体２Ａに取り付けた状態では、本体２Ａに形成された２つの切欠き３８の下端縁と、キャップ２Ｂに形成された２つの切欠き３９とが対向して、被覆電線５の外径と略一致する内径を有する略円形の２つの開口４０が形成されるようになっている（図５（ａ）参照）。これらの開口４０は、コンタクト収容部３内に収容された圧接型コンタクト４のスロット１８に臨んでいて、一対の電線挟持部１３間に圧接挟持された被覆電線５をコネクタハウジング２に対して前後方向に挿通させるための電線通路を構成している。
【００３７】
コネクタハウジング２の本体２Ａの前面には、切欠き３８の直下方に、前方に突出する電線保持部４１が形成されている。電線保持部４１の上面には、本体２Ａの前面に形成された２つの切欠き３８の下端縁を前方に延設するように、被覆電線５の外周面とほぼ同じ曲率の略半円弧状の凹部４２が形成されている（図１、図２および図６（ｂ）参照）。コンタクト収容部３内に収容された２つの圧接型コンタクト４に圧接挟持された状態で開口４０を通って前方に延びる２本の被覆電線５は、それぞれの下部が電線保持部４１の対応する凹部４２内に収容されて保持されることとなる。
【００３８】
キャップ２Ｂの前面には、互いに左右方向に対向して前方に突出する一対の弾性爪４３が、左右に並べて２対形成されている。これらの２対の弾性爪４３は、２つの開口４０から前方に延びる２本の被覆電線５を上方に折り曲げた場合に、被覆電線５を上下方向に延びた姿勢で保持するためのものである。一対の弾性爪４３は、被覆電線５の外径と同程度の間隔を空けて対向しており、一対の弾性爪４３の先端辺には、対向する弾性爪４３側に突出する突起４４が形成されている。被覆電線５を上下方向に延びるようにして前方から一対の弾性爪４３間に押し込むことにより、一対の弾性爪４３の先端部が弾性的に拡開変形し、一対の弾性爪４３間に被覆電線５が挟持される。そして、被覆電線５が突起４４よりも後方まで押し込まれると、一対の弾性爪４３が初期状態に戻り、各弾性爪４３の突起４４によって被覆電線５が前方に抜け落ちるのが規制される。
【００３９】
本体２Ａの前面の下端部左右両側には、当該圧接型コネクタ１を相手側コネクタに嵌め込む際のガイドとしてのガイド用突部４５が形成されている。また、本体２Ａの後面の下端部には、当該圧接型コネクタ１を相手側コネクタに嵌め込む際のガイドとしての４つのガイド用突部４６が、左右に等間隔に並べて形成されている。本体２Ａの前面下部の左右方向中央部には、当該本体２Ａの前面に沿って下方に延びる弾性爪４７が形成されている。弾性爪４７の下端部の前面には突起４８が形成されている。圧接型コネクタ１が相手側コネクタに挿入される過程で、弾性爪４７の下端部が後方に弾性変形し、圧接型コネクタ１が相手側コネクタに対して所定量以上挿入されると、弾性爪４７が初期状態に戻る。これにより、弾性爪４７の突起４８が相手側コネクタの内壁面に引っかかって、圧接型コネクタ１が相手側コネクタに固定される。
【００４０】
本体２Ａの下面には、相手側コネクタのコンタクトを挿入するための２つのコンタクト挿入口４９が、左右に並べて形成されている。これらの２つのコンタクト挿入口４９は、それぞれ、コンタクト収容部３内に収容された圧接型コンタクト４の２枚のコンタクト挟持片２０間（案内傾斜部２２間）に下方から臨んでいる。
図８は、図５（ｅ）における矢印Ａ−Ａに沿った断面図である。
【００４１】
図２および図８を参照して、コネクタハウジング２の左右内壁面および区画壁３０の左右側面には、コンタクト収容部３に収容された各圧接型コンタクト４の圧接部１０の上端部（２枚の圧接片１２の前後方向に対向する電線導入部１４の外側辺部、およびこれらの電線導入部を連結する連結部１６）を前後に挟むように収容する圧接部収容凹部５０が形成されている。より具体的には、圧接部収容凹部５０は、圧接型コンタクト４の圧接部１０の前後方向の長さと同程度（前側の圧接片１２の前面と、後側の圧接片１２の後面との距離と同程度）の幅を有しており、コネクタハウジング２の左右内壁面および区画壁３０の左右側面に上端から下方に延びるように形成されている。
【００４２】
圧接型コンタクト４の各電線導入部１４の外側辺の上部には上下方向に延びる当接面５１が形成されていて、コンタクト収容部３に圧接型コンタクト４が収容された状態では、当接面５１が対向する圧接部収容凹部５０の内壁面５０Ａに当接している。したがって、一対の電線挟持部１３間に被覆電線５の芯線５Ａが圧入されると、それに伴って一対の電線挟持部１３が弾性的に拡開変形して各先端が外方へと揺動し、一対の電線挟持部１３に連結された一対の電線導入部１４も外方へと揺動して、圧接部収容凹部５０の内壁面５０Ａが当接面５１から押圧力を受けることとなる。
【００４３】
上記のように、圧接型コンタクト４の圧接部１０が前後方向への変位が規制されるようにして圧接部収容凹部５０（規制部）に収容された構成によれば、一対の電線挟持部１３に挟持された被覆電線５に対して前後方向に沿った外力が作用した場合に、一対の電線挟持部１３が被覆電線５につられて前後方向に沿ってずれるのを防止できる。したがって、一対の電線挟持部１３が互いに対向する方向（左右方向）に対して交差する方向にずれて変形することにより、一対の電線挟持部１３による被覆電線５の挟持力が低下するのを防止できるので、圧入された被覆電線５をより良好に保持できる。
【００４４】
圧接型コンタクト４の各電線導入部１４の外側辺の下部には、当接面５１の下端から下方に向かうにつれて徐々に圧接部収容凹部５０の内壁面５０Ａから離間する傾斜面（クリアランス形成面５２）が形成されている。これにより、コンタクト収容部３に圧接型コンタクト４が収容された状態では、電線導入部１４の下部と対向する圧接部収容凹部５０の内壁面５０Ａとの間にクリアランス５３が確保されている。このクリアランス５３によって、被覆電線５の圧入に伴って一対の電線挟持部１３が弾性的に拡開変形して各先端が外方へと揺動する際に電線導入部１４の下端側の外方への揺動が許容される。
【００４５】
図９は、圧接型コンタクト４に被覆電線５を圧入する前後の状態を説明するための断面図である。図９では、右側の圧接型コンタクト４の圧接部１０近傍の構成のみを示しており、区画壁３０を省略して示すとともに、被覆電線５を圧入する前後における圧接片１２の右側部分の変形態様のみを示している。
図９を参照して、圧接型コンタクト４に被覆電線５が圧入されると、右側の電線挟持部１３が、図９において実線で示す初期状態から、破線で示すように弾性的に拡開変形して先端が外方（右方）へと揺動する。これに伴って、電線挟持部１３に連結された電線導入部１４も破線で示すように外方へと揺動するので、コンタクト収容部３（コネクタハウジング２の側面壁２Ｃに形成された圧接部収容凹部５０）の内壁面５０Ａが当接面５１から押圧力を受けることとなる。したがって、初期状態では破線で示す位置にあったコネクタハウジング２の側面壁２Ｃが、圧接型コンタクト４への被覆電線５の圧入に伴って、実線で示すように外方に向かって弾性的に拡開変形する。
【００４６】
図９では図示していないが、右側の圧接型コンタクト４に被覆電線５が圧入されると、その左側の電線挟持部１３も弾性的に拡開変形して先端が外方（左方）へと揺動する。これに伴って、電線挟持部１３に連結された電線導入部１４も外方へと揺動するので、コンタクト収容部３（区画壁３０に形成された圧接部収容凹部５０）の内壁面５０Ａが電線導入部１４の当接面５１から押圧力を受けることとなる。このような被覆電線５の圧入に伴う圧接型コンタクト４の変形は、左側の圧接型コンタクト４においても同様に生じる。
【００４７】
この実施形態では、一対の電線挟持部１３の各上端側と、一対の電線導入部１４の各下端側とが、一対の関節部１５によって、電線導入部１４が電線挟持部１３に対して初期状態よりも内側に弾性変形（たとえば、屈曲または湾曲）できるように結合されているので、一対の電線挟持部１３に被覆電線５が挟持された状態では、一対の電線導入部１４の当接面５１がコンタクト収容部３の内壁面５０Ａから受ける反作用力により一対の関節部１５が屈曲・湾曲状態に保持され、一対の電線導入部１４が一対の電線挟持部１３に対して初期状態よりも内側に屈曲または湾曲した状態となる。したがって、一対の電線導入部１４の当接面５１に当接するコンタクト収容部３の内壁面５０Ａは、外方への押圧に耐えることができるので、その拡開変形が抑制され、その結果、被覆電線５の圧入に伴うコネクタハウジング２の変形を抑制できる。
【００４８】
特に、一対の関節部１５が、その外側辺に形成された切欠き１５Ａによって屈曲・湾曲状態へと弾性変形しやすくなっているので、一対の電線導入部１４がコンタクト収容部３の内壁面５０Ａから受ける反作用力によって内側に屈曲または湾曲しやすい。したがって、被覆電線５の圧入に伴うコネクタハウジング２の変形をさらに効果的に抑制できる。
また、一対の電線導入部１４の下端側の外側辺に形成されたクリアランス形成面５２とコンタクト収容部３の内壁面５０Ａとの間にクリアランス５３が確保されているので、被覆電線５の圧入に伴って一対の電線導入部１４がコンタクト収容部３の内壁面５０Ａから受ける反作用力によって内側に屈曲または湾曲する際に、電線導入部１４の下端側（当接面５１よりも電線挟持部１３側）の外側辺がコンタクト収容部３の内壁面５０Ａを押圧するのを防止できる。したがって、被覆電線５の圧入に伴うコネクタハウジング２の変形をより効果的に抑制できる。
【００４９】
再び図８を参照して、キャップ２Ｂの下面には、区画壁３０の上端部に対応する形状の凹部５４が形成されていて、キャップ２Ｂを本体２Ａに取り付けた状態では、区画壁３０の上端部がキャップ２Ｂの凹部５４内に入り込むようになっている。これにより、被覆電線５の圧入に伴って電線導入部１４の当接面５１から受ける押圧力によって、区画壁３０が左右方向に弾性的に変形するのを防止できる。
【００５０】
この圧接型コネクタ１は、たとえば配線基板６０に実装された相手側コネクタ１００に嵌め込まれることにより、配線基板６０に対して電気接続される。ただし、相手側コネクタ１００は、配線基板６０に実装されたものに限らず、たとえば、別のケーブル（被覆電線等）に取り付けられていてもよい。
相手側コネクタ１００は、圧接型コネクタ１を嵌合させるための嵌合凹部１０１Ａが形成されたコネクタハウジング１０１と、このコネクタハウジング１０１の嵌合凹部１０１Ａ内に突設された棒状の２本のコンタクト１０２とを備えた雌型のコネクタである。相手側コネクタ１００の嵌合凹部１０１Ａは、圧接型コネクタ１のコネクタハウジング２（本体２Ａ）の下部の形状に対応する形状を有していて、雄型である圧接型コネクタ１のコネクタハウジング２を上方から相手側コネクタ１００の嵌合凹部１０１Ａ内に嵌合させることにより、相手側コネクタ１００のコンタクト１０２を、コンタクト挿入口４９を介して圧接型コンタクト４の接点２１間に挟持させ、当該圧接型コネクタ１と相手側コネクタ１００とを導電可能に接続することができる。
【００５１】
図１０は、圧接型コンタクト１に被覆電線５を圧入する際の態様について説明するための正面図である。
上記実施形態では、圧接型コネクタ１の一例として、２本の被覆電線５が接続される２極の圧接型コネクタの構成について説明したが、本願発明は、２極の圧接型コネクタに限らず、３本以上の被覆電線５が接続される圧接型コネクタにも適用可能である。すなわち、本願発明は、２本以上の被覆電線５が接続される多極の圧接型コネクタに適用可能である。図１０に示すように、多極の圧接型コネクタ１のコネクタハウジング２は、接続される被覆電線５の本数と同数のコンタクト収容部３を幅方向に並ぶように配置し、各コンタクト収容部３間を区画壁３０で区画することにより形成することができる。また、本願発明は、１本の被覆電線５が接続される１極の圧接型コネクタにも適用可能である。
【００５２】
図１０では、７本の被覆電線が接続される７極の圧接型コネクタ１に対して被覆電線５を圧入する際の態様について説明する。圧接型コネクタ１に被覆電線５を圧入する際には、コネクタハウジング２（の本体２Ａ）を保持するためのダイ７１と、ダイ７１に保持されたコネクタハウジング２の各コンタクト収容部３に収容されている圧接型コンタクト４に対して被覆電線５を圧入するための圧接パンチ７２とを含むプレス加工機７０を用いる。
【００５３】
ダイ７１の上面には、コネクタハウジング２の幅と略一致する幅を有するハウジング収容凹部７３が形成されている。このハウジング収容凹部７３内に、コンタクト収容部３が上方に向かって開放するようにコネクタハウジング２を配置することにより、コネクタハウジング２の左右外側面がハウジング収容凹部７３の内壁面に当接し、コネクタハウジング２の側面壁の外方への変位が規制される。
【００５４】
ダイ７１のハウジング収容凹部７３にコネクタハウジング２を配置した後、各コネクタ収容部３の上方に前後方向に延びるように被覆電線５を配置する。そして、被覆電線５を圧接パンチ７２で上方から下方に押圧することにより、各被覆電線５が対応するコンタクト収容部３内の圧接型コネクタ４に同時に圧入される。
圧接パンチ７２は、１本から１２本までの被覆電線５を押圧することができる汎用タイプのものであり、その下面には、下方に向かって突出する１２個の押圧部７４が形成されている。一方、ダイ７１は、極数に応じた外形寸法を有するコネクタハウジング２を保持するために、圧接型コネクタ１の極数ごとに専用のものとなっている。したがって、１１極以下の圧接型コネクタ１に対して圧接パンチ７２で被覆電線５を圧入する際には、使用しない押圧部７４（図１０に示すような７極の圧接型コネクタ１の場合には、左側４つの押圧部７４）が存在し、その使用しない押圧部７４がダイ７１と干渉しないようにする必要がある。そこで、１１極以下の圧接型コネクタ用のダイ７１の上面には、使用しない押圧部７４に対応する位置に、被覆電線５の押圧時に使用しない押圧部７４を挿通させるための挿通凹部７５が形成されている。
【００５５】
各押圧部７４の下面には、被覆電線５の外周面とほぼ同じ曲率の略円弧状の窪みが形成されていて、この窪みに被覆電線５が入り込んだ状態で被覆電線５を下方に押圧することにより、被覆電線５が幅方向にずれるのを防止できるようになっている。
ダイ７１のハウジング収容凹部７３にコネクタハウジング２を配置した状態で、圧接パンチ７２によって被覆電線５が各コンタクト収容部３に向けて押圧されると、圧接型コンタクト４の電線挿入口１７からスロット１８へと被覆電線５が圧入される。これにより、被覆切断部１４Ｂによって被覆電線５の絶縁被覆５Ｂが切断され、一対の電線挟持部１３間に被覆電線５の芯線５Ａが挟持されることとなる。
【００５６】
このとき、圧接型コンタクト１への被覆電線５の圧入によって、一対の電線挟持部１３が弾性的に拡開変形し、一対の電線挟持部１３に連結された一対の電線導入部１４も外方へと揺動するので、コンタクト収容部３（コネクタハウジング２の側面壁２Ｃ）の内壁面５０Ａが電線導入部１４の当接面５１から押圧力を受けることとなる。この実施形態では、コネクタハウジング２の左右外側面がハウジング収容凹部７３の内壁面に当接し、コネクタハウジング２の側面壁２Ｃの外方への変位が規制されているので、圧接型コンタクト４への被覆電線５の圧入に伴って、コンタクト収容部３の内壁面５０Ａからの反作用力によって電線導入部１４の外方への揺動が規制されて関節部１５が屈曲・湾曲状態へと弾性変形され、電線導入部１４が電線挟持部１３に対して初期状態よりも内側に屈曲または湾曲した状態となる。すなわち、圧接型コンタクト４に被覆電線５を圧接させて取り付ける段階で、一対の電線導入部１４はコンタクト収容部３の内壁面５０Ａに大きな押圧力を作用させるが、コンタクト収容部３の内壁面５０Ａの変形はダイ７１によって規制されているため、被覆電線５の圧入時にコネクタハウジング２の側面壁２Ｃが大きく変形してしまうことはない。コネクタハウジング２をダイ７１から取り外したときは、コンタクト収容部３の内壁面５０Ａは、電線導入部１４から受ける比較的弱い拡開力に耐えればよいので、コネクタハウジング２の側面壁２Ｃがその後に大きく変形することもない。
【００５７】
被覆電線５が圧入されてダイ７１から取り外されたコネクタハウジング２の本体２Ａには、上方からキャップ２Ｂが取り付けられる。これにより、本体２Ａとキャップ２Ｂの間に電線通路としての開口４０が形成され、この開口４０内に被覆電線５を挿通させた状態で、コンタクト収容部３が閉塞されることとなる。したがって、コンタクト収容部３に外部から異物が進入するのを防止できるとともに、一対の電線挟持部１３に挟持された被覆電線５が圧入方向と反対方向（上方）に向かって外れ、コンタクト収容部３（電線通路）から抜け落ちるのを防止できるので、圧入された被覆電線５をより良好に保持できる。
【００５８】
また、被覆電線５の圧入に伴うコネクタハウジング２の本体２Ａの変形が抑制されることにより、キャップ２Ｂを本体２Ａに良好に装着でき、かつ、その装着状態を確実に保持できる。
この発明は、以上の実施形態の内容に限定されるものではなく、請求項記載の範囲内において種々の変更が可能である。
【００５９】
たとえば、圧接型コンタクト４に圧接挟持された被覆電線５を挿通させるための開口４０がコネクタハウジング２の前面にのみ形成されたような構成に限らず、コネクタハウジング２の後面にも開口を設けて、圧接型コンタクト４に圧接挟持された被覆電線５をコネクタハウジング２に対して貫通させることができるような電線通路が形成されていてもよい。
【００６０】
圧接型コンタクト４は、連結部１６によって連結された２枚の圧接片１２を含むような構成に限らず、互いに連結されずに別個に設けられた複数枚（たとえば、２枚）の圧接片１２を含むような構成であってもよいし、圧接片１２を１枚だけ含むような構成であってもよい。
一対の電線挟持部１３が互いに対向する方向（左右方向）に対して交差する方向にずれて変形するのを防止するための規制部は、圧接部１０を挟み込んで前側の圧接片１２の前面と後側の圧接片１２の後面を規制するような構成に限らず、圧接片１２を挟み込んで当該圧接片１２の前面および後面を規制するような構成であってもよい。
【００６１】
コネクタハウジング２は、本体２Ａとキャップ２Ｂとを含むような構成に限らず、本体のみによって構成されるものであってもよい。
圧接型コンタクトは、上記実施形態のように相手側コネクタ１００のコンタクト１０２の挿入を受け入れる雌型の構成に限らず、たとえば、相手側コネクタのコンタクトに対して圧接型コンタクトが挿入される雄型の構成であってもよい。また、圧接型コネクタは、上記実施形態のように相手側コネクタ１００の嵌合凹部１０１Ａ内に嵌合される雄型の構成に限らず、たとえば、相手側コネクタを嵌め込ませるための嵌合凹部を備えた雌型の構成であってもよい。
【図面の簡単な説明】
【００６２】
【図１】この発明の一実施形態に係る圧接型コネクタの斜視図である。
【図２】圧接型コネクタの分解斜視図である。
【図３】圧接型コンタクトの斜視図である。
【図４】圧接型コンタクトの６面図である。
【図５】圧接型コネクタの６面図である。
【図６】キャップを取り外した状態における圧接型コネクタの６面図である。
【図７】キャップの６面図である。
【図８】図５（ｅ）における矢印Ａ−Ａに沿った断面図である。
【図９】圧接型コンタクトに被覆電線を圧入する前後の状態を説明するための断面図である。
【図１０】圧接型コンタクトに被覆電線を圧入する際の態様について説明するための正面図である。
【図１１】従来の圧接型コネクタの一部の拡大断面図である。
【符号の説明】
【００６３】
１  圧接型コネクタ
２  コネクタハウジング
２Ａ  本体
２Ｂ  キャップ
３  コンタクト収容部
４  圧接型コンタクト
５  被覆電線
５Ａ  芯線
５Ｂ  絶縁被覆
１３  電線挟持部
１４  電線導入部
１４Ａ  電線受容れ内側辺
１４Ｂ  被覆切断部
１４Ｃ  案内内側辺
１５  関節部
１５Ａ  切欠き
１７  電線挿入口
４０  開口（電線通路）
５０  圧接部収容凹部（規制部）
５０Ａ  内壁面
５１  当接面
５２  クリアランス形成面
５３  クリアランス
７１  ダイ
７２  圧接パンチ
【図１】
0004606743.tif 000002
【図２】
0004606743.tif 000003
【図３】
0004606743.tif 000004
【図４】
0004606743.tif 000005
【図５】
0004606743.tif 000006
【図６】
0004606743.tif 000007
【図７】
0004606743.tif 000008
【図８】
0004606743.tif 000009
【図９】
0004606743.tif 000010
【図１０】
0004606743.tif 000011
【図１１】
0004606743.tif 000012